(57)【特許請求の範囲】
【請求項１】
切妻形式の屋根を施工するための屋根の施工方法であって、
妻方向の壁の頂部どうしを繋ぐようにして頂部梁を設けるとともに、
この頂部梁と前記妻方向の壁に直交して屋根を支持する桁方向の壁の上端部との間に、その中間位置より上方に位置するようにして中間部梁を設け、
次に、少なくとも、前記頂部梁、前記中間部梁、に支持されるようにして上部屋根パネルを設置するとともに、
少なくとも、前記中間部梁、前記桁方向の壁、に支持されるようにして、前記上部屋根パネルよりも大きい下部屋根パネルを設置することを特徴とする屋根の施工方法。
【請求項２】
請求項１記載の屋根の施工方法において、
前記下部屋根パネルの内部には、予め断熱材を設けておくことを特徴とする屋根の施工方法。
【請求項３】
請求項１または２記載の屋根の施工方法において、
前記上部屋根パネルには、予めトップライトを設けておくことを特徴とする屋根の施工方法。
【請求項４】
請求項１〜３のいずれかに記載の屋根の施工方法において、
前記中間部梁の下方側には、天井を形成することを特徴とする屋根の施工方法。
【請求項５】
請求項４記載の屋根の施工方法において、
前記下部屋根パネルの内側の前記中間部梁近傍から内壁の内側まで延在するようにして、天井防湿シートを設けることを特徴とする屋根の施工方法。
【請求項６】
請求項１〜５のいずれかに記載の屋根の施工方法において、
前記下部屋根パネルの軒先側に取り付けられる軒先部材と、
野縁を支持する野縁受部材と、
前記軒先部材と前記野縁受部材とを連結する連結部材と、
により構成されている調整部材を、前記下部屋根パネルの軒先側に取り付けるとともに、該調整部材に前記野縁を支持させて軒天井を形成することを特徴とする屋根の施工方法。
【請求項７】
切妻形式の屋根を施工するための屋根パネルの設置構造であって、
妻方向の壁の頂部どうしを繋ぐようにして設けられる頂部梁と、
この頂部梁と前記妻方向の壁に直交して屋根を支持する桁方向の壁の上端部との間に、その中間位置より上方に位置するようにして設けられる中間部梁と、
少なくとも、前記頂部梁、前記中間部梁、に支持されるようにして設置される上部屋根パネルと、
少なくとも、前記中間部梁、前記桁方向の壁、に支持されるようにして設置され、前記上部屋根パネルよりも大きい下部屋根パネルとを備えることを特徴とする屋根パネルの設置構造。
【請求項８】
請求項７記載の屋根パネルの設置構造において、
前記下部屋根パネルの内部には、予め断熱材が設けられていることを特徴とする屋根パネルの設置構造。
【請求項９】
請求項８記載の屋根パネルの設置構造を備えた屋根の通気構造であって、
前記下部屋根パネルはその設置された状態で、前記桁方向の壁側に形成されて外気を取り入れる外気取入口と、この外気取入口から取り入れられた外気を長手方向に沿って通過させる通気層と、前記頂部梁側に形成されて前記通気層を通過した外気を前記頂部梁側へ通気させる通気孔とを備えることを特徴とする屋根の通気構造。
【請求項１０】
請求項９記載の屋根の通気構造において、
前記上部屋根パネルは、前記下部屋根パネルの通気孔から前記頂部梁側へ通気した外気を外部に排出する排気孔が屋根の棟部に形成された状態に設置されていることを特徴とする請求項９記載の屋根の通気構造。
【発明の詳細な説明】
【０００１】
【発明の属する技術分野】
本発明は、プレハブ化工法によって構築される建物のうち、切妻形式の屋根を有し、この屋根下の空間を部屋として利用可能な建物の構築に採用される、頂部屋根パネルおよび屋根の施工方法に関する。
【０００２】
【背景の技術】
近年、住宅の構築においては、いわゆるプレハブ化が進み、特に最近は洗練されたプランが多く生み出され、工期とともにデザイン性も注目されている。
ところで、住宅の屋根には、屋根が対向して配される、いわゆる切妻形式の屋根がある。そして、この切妻形式の屋根を有する建物の屋根裏に形成される空間を、部屋として有効利用しようとするプランは、例えば山小屋等において多用されている。
【０００３】
前記したようなデザインを備える建物を、プレハブ化を行いながら構築する方法としては、例えば、以下に示す特許分権に示す屋根の支持構造がある。特許文献１に記載の屋根の支持構造は、図１３に示すように、互いに対向配置された妻壁１０２によって屋根パネル１０９を支持するとともに、床パネル１１０上にそれぞれ屋根パネル１０９の棟部に沿って互いに対向して配設される一対の支持壁１１１によって屋根パネルを支持するものである。
この屋根の支持構造では、屋根パネル１０９を取り付けた後は、床パネル１１０を床とし、２つの支持壁１１１間の空間を部屋として利用することもできるようになっている。さらに、支持壁１１１間に空間部が存在するため、妻壁１０２の中央部には開口部を設けることも容易となっている。
【０００４】
【特許文献１】
特開平０９−１６５８６５号公報
【０００５】
【発明が解決しようとする課題】
しかしながら、特許文献１に記載の技術においては、前記支持壁１１１の存在により、利用できる屋根裏の空間が分断され、したがって、屋根裏の空間を快適に利用できるとは言い難い。
本発明の課題は、前記した切妻形式の屋根を備える建物において、屋根裏の空間を部屋として快適に利用可能な建物を、プレハブ化を行いながら構築することが可能となる屋根の施工方法を提供するものである。
【０００６】
【課題を解決するための手段】
上記課題を解決するために、請求項１記載の発明は、例えば図５〜図８に示すように、
切妻形式の屋根を施工するための屋根の施工方法であって、
妻方向の壁２ａ、２ｂの頂部（頂部壁パネル５ａ、５ｂの頂部５ａ１、５ｂ１）どうしを繋ぐようにして頂部梁７を設けるとともに、
この頂部梁７と前記妻方向の壁２ａ、２ｂに直交して屋根を支持する桁方向の壁６の上端部との間に、その中間位置より上方に位置するようにして中間部梁８を設け、
次に、前記妻方向の壁２ａ、２ｂ、前記頂部梁７、前記中間部梁８、に支持されるようにして上部屋根パネル９ａを設置するとともに、
前記妻方向の壁２ａ、２ｂ、前記中間部梁８、前記桁方向の壁６、に支持されるようにして、前記上部屋根パネル９ａよりも大きい下部屋根パネル９ｂを設置することを特徴としている。
【０００７】
請求項１記載の発明によれば、妻方向の壁２ａ、２ｂの頂部（頂部壁パネル５ａ、５ｂの頂部５ａ１、５ｂ１）どうしを繋ぐようにして頂部梁７が設けられるとともに、この頂部梁７と前記妻方向の壁２ａ、２ｂに直交して屋根を支持する桁方向の壁６の上端部との間に、その中間位置より上方に位置するようにして中間部梁８が設けられる。そして、前記頂部梁７、前記中間部梁８、に支持されるようにして上部屋根パネル９ａが設置されるとともに、前記中間部梁８、前記桁方向の壁６、に支持されるようにして、前記上部屋根パネル９ａよりも大きい下部屋根パネル９ｂが設置される。
【０００８】
これにより、前記上部屋根パネル９ａおよび前記下部屋根パネル９ｂの下には、該上部屋根パネル９ａや下部屋根パネル９ｂを支持するための壁等の存在しない広い空間が確保される。前記広い空間を確保する場合においても、前記中間部梁８によって屋根の水平剛性が確保されるため、構造的にも安定する。
また、前記中間部梁８は、前記頂部梁７と前記桁方向の壁６の上端部との間に、その中間位置より上方に位置するようにして設けられるため、例えば、図９に示すように、中間部梁８を隠すために中間部梁８の下方に天井１６を形成しても、天井下の空間が広く確保される。
以上により、屋根裏に、広く快適な空間を、安全に確保することが可能となる。
【０００９】
請求項２記載の発明は、例えば図４、図８〜図１０に示すように、請求項１記載の屋根の施工方法において、
前記下部屋根パネル９ｂの内部には、予め断熱材（ロックウール９ｂ３）を設けておくことを特徴としている。
【００１０】
請求項２記載の発明によれば、前記下部屋根パネル９ｂの内部には、予め断熱材（ロックウール９ｂ３）が設けられる。前記断熱材（ロックウール９ｂ３）の断熱効果により、屋根裏の空間をより快適に利用することが可能である。この際、断熱材（ロックウール９ｂ３）を現場で設ける必要がないため、コストが低減されるとともに施工上安全となる。
【００１１】
なお、前記断熱材としては、例えばロックウール等がある。
【００１２】
請求項３記載の発明は、例えば図１２に示すように、請求項１または２記載の屋根の施工方法において、
前記上部屋根パネル９ｂには、予めトップライト１９を設けておくことを特徴としている。
【００１３】
請求項３記載の発明によれば、前記上部屋根パネル９ａには、予めトップライト１９が設けられる。これにより、十分な採光が確保され、屋根裏の空間をさらに快適に利用することが可能である。この際、トップライト１９を現場で設ける必要がないため、コストが低減されるとともに施工上安全となる。ところで、前記上部屋根パネル９ａは、前記下部屋根パネル９ｂに比して小さく形成されている。したがって、予めトップライト１９を設けた上部屋根パネル９ａを現場に搬送する場合や、この上部屋根パネル９ａを現場で施工する場合においても取り扱いが容易でさらに安全である。
【００１４】
請求項４記載の発明は、例えば図１０に示すように、請求項１〜３のいずれかに記載の屋根の施工方法において、
前記中間部梁８の下方側には、天井１６を形成することを特徴としている。
【００１５】
請求項４記載の発明によれば、前記中間部梁８の下方側には天井１６が形成される。これにより、前記中間部梁８が前記天井１６によって隠れることとなり、屋根裏の空間をさらに快適に利用することが可能となる。
【００１６】
請求項５記載の発明は、例えば図１０に示すように、請求項４記載の屋根の施工方法において、
前記下部屋根パネル９ｂの内側の前記中間部梁８近傍から内壁１３の内側まで延在するようにして、天井防湿シート１２を設けることを特徴としている。
【００１７】
請求項５記載の発明によれば、前記下部屋根パネル９ｂの内側の前記中間部梁８近傍から内壁１３の内側まで延在するようにして、天井防湿シート１２が設けられる。前記天井防湿シート１２による防湿効果により、屋根裏の空間をさらに快適に利用することが可能となる。
【００１８】
請求項６記載の発明は、例えば図１１に示すように、請求項１〜５のいずれかに記載の屋根の施工方法において、
前記下部屋根パネル９ｂの軒先側に取り付けられる軒先部材１７ａと、
野縁を支持する野縁受部材１７ｂと、
前記軒先部材１７ａと前記野縁受部材１７ｂとを連結する連結部材１７ｃと、により構成されている調整部材１７を、前記下部屋根パネル９ｂの軒先側に取り付けるとともに、該調整部材１７に前記野縁１８ａを支持させて軒天井１８を形成することを特徴としている。
【００１９】
請求項６記載の発明によれば、前記調整部材１７を前記下部屋根パネル９ｂの軒先側に取り付けるとともに、該調整部材１７に前記野縁１８ａを支持させることで、軒天井１８が形成される。本発明による屋根の施工方法において、図１０に示すように、従来に比して前記下部屋根パネル９ｂが急勾配に配される場合においても、前記調整部材１７によって下部屋根パネル９ｂと前記軒天井１８とを容易に秀麗に納めることが可能である。
【００２０】
請求項７記載の発明は、例えば図７〜図１０に示すように、切妻形式の屋根を施工するための屋根パネル（上部屋根パネル９ａ、下部屋根パネル９ｂ）の設置構造であって、
妻方向の壁２ａ、２ｂの頂部（頂部壁パネル５ａ、５ｂの頂部５ａ１、５ｂ１）どうしを繋ぐようにして設けられる頂部梁７と、
この頂部梁７と前記妻方向の壁２ａ、２ｂに直交して屋根を支持する桁方向の壁６の上端部との間に、その中間位置より上方に位置するようにして設けられる中間部梁８と、
少なくとも、前記頂部梁７、前記中間部梁８、に支持されるようにして設置される上部屋根パネル９ａと、
少なくとも、前記中間部梁８、前記桁方向の壁６、に支持されるようにして設置され、前記上部屋根パネル９ａよりも大きい下部屋根パネル９ｂとを備えることを特徴としている。
【００２１】
請求項７記載の発明によれば、妻方向の壁２ａ、２ｂの頂部（頂部壁パネル５ａ、５ｂの頂部５ａ１、５ｂ１）どうしを繋ぐようにして設けられる頂部梁７と、この頂部梁７と前記妻方向の壁２ａ、２ｂに直交して屋根を支持する桁方向の壁６の上端部との間に、その中間位置より上方に位置するようにして設けられる中間部梁８とを備える。そして、前記頂部梁７、前記中間部梁８、に支持されるようにして上部屋根パネル９ａが設置されているとともに、前記中間部梁８、前記桁方向の壁６、に支持されるようにして、前記上部屋根パネル９ａよりも大きい下部屋根パネル９ｂが設置されている。
【００２２】
これにより、前記上部屋根パネル９ａおよび前記下部屋根パネル９ｂの下には、該上部屋根パネル９ａや下部屋根パネル９ｂを支持するための壁等の存在しない広い空間が確保される。前記広い空間を確保する場合においても、前記中間部梁８によって屋根の水平剛性が確保されるため、構造的にも安定する。
また、前記中間部梁８は、前記頂部梁７と前記桁方向の壁６の上端部との間に、その中間位置より上方に位置するようにして設けられるため、例えば、図１０に示すように、中間部梁８を隠すために中間部梁８の下方に天井１６を形成しても、天井下の空間が広く確保される。
以上により、屋根裏に、広く快適な空間を、安全に確保することが可能となる。
【００２３】
請求項８記載の発明は、例えば図４、図８〜図１０に示すように、請求項７記載の屋根パネルの設置構造において、
前記下部屋根パネル９ｂの内部には、予め断熱材（ロックウール９ｂ３）が設けられていることを特徴としている。
【００２４】
請求項８記載の発明によれば、前記下部屋根パネル９ｂの内部には、予め断熱材（ロックウール９ｂ３）が設けられている。前記断熱材（ロックウール９ｂ３）の断熱効果により、屋根裏の空間をより快適に利用することが可能である。この際、断熱材（ロックウール９ｂ３）を現場で設ける必要がないため、コストが低減されるとともに施工上安全となる。
【００２５】
請求項９記載の発明は、例えば図４、図８〜図１０に示すように、請求項８記載の屋根パネル（下部屋根パネル９ｂ）の設置構造を備えた屋根の通気構造であって、
前記下部屋根パネル（下部屋根パネル９ｂ）はその設置された状態で、前記桁方向の壁６側に形成されて外気ａを取り入れる外気取入口９ｂ７と、この外気取入口９ｂ７から取り入れられた外気ａを長手方向に沿って通過させる通気層９ｂ８と、前記頂部梁７側に形成されて前記通気層９ｂ８を通過した外気ａを前記頂部梁７側へ通気させる通気孔９ｂ９とを備えることを特徴としている。
【００２６】
請求項９記載の発明によれば、前記下部屋根パネル９ｂの内部には、予め断熱材（ロックウール９ｂ３）が設けられているため、この断熱材（ロックウール９ｂ３）による断熱効果で下部屋根パネル９ｂに熱がこもると、下部屋根パネル９ｂの内部側には結露が発生しやすくなってしまう。しかし、下部屋根パネル９ｂの外気取入口９ｂ７からは外気ａが取り入れられ、この外気取入口９ｂ７から取り入れられた外気ａは、前記通気層９ｂ８を通過して前記通気孔９ｂ９から前記頂部梁７側へ通気する。これにより、下部屋根パネル９ｂには熱がこもらず、下部屋根パネル９ｂの内部側には結露が発生しないため、屋根裏の空間をさらに快適に利用することが可能である。
【００２７】
なお、前記下部屋根パネル９ｂの通気孔９ｂ９から前記頂部梁７側へ通気した外気ａは、屋根裏の空間で循環させてもよいし、屋根の棟部等から外部に排出してもよい。
【００２８】
請求項１０記載の発明は、例えば図８、図１０に示すように、請求項９記載の屋根の通気構造において、
前記上部屋根パネル９ａは、前記下部屋根パネル９ｂの通気孔９ｂ９から前記頂部梁７側へ通気した外気ａを外部に排出する排気孔９ａ３が屋根の棟部に形成された状態に設置されていることを特徴としている。
【００２９】
請求項１０記載の発明によれば、前記下部屋根パネル９ｂの通気孔９ｂ９から前記頂部梁７側へ通気した外気ａは、屋根の棟部に形成された排気孔９ａ３から外部に排出される。すなわち、下部屋根パネル９ｂの外気取入口９ｂ７から取り入れられた外気ａは、前記排気孔９ａ３から確実に外部に排出されるため、下部屋根パネル９ｂを含む通気経路が確実に確保される。したがって、屋根裏の空間をさらに快適に利用することが可能である。
【００３０】
【発明の実施の形態】
以下、本発明である屋根の施工方法、屋根パネルの設置構造、屋根の通気構造の実施形態について詳細に説明する。
【００３１】
本発明である屋根の施工方法は、例えば、図１に示すようなロッジ風の住宅の構築に利用されるものである。この住宅は、木造２階建てであり、パネル工法によって構築される。この住宅の２階部分は、切妻形式の屋根の屋根裏の空間を部屋として利用するものである。
【００３２】
２階建て住宅のうち、本発明に係る２階部分を中心に説明する。図１において、符号１は住宅を示す。
この住宅１は、壁や屋根等の部材がそれぞれパネル化して構成されており、これらのパネルを、図示しない係合材、ボルト、釘等によって連結しながら構築される。
住宅１の２階部分には、図１、図２に示すように、互いに対向するようにして妻方向の壁２ａ、２ｂが立設され、この妻方向の壁２ａ、２ｂに直交して連結されるようにして桁方向の壁６が立設されている。この妻方向の壁２ａ、２ｂおよび桁方向の壁、さらに、妻方向の壁２ａ、２ｂを繋ぐようにして設けられる頂部梁７および中間部梁８に支持されるようにして、上部屋根パネル９ａ、下部屋根パネル９ｂ、ケラバ屋根パネル９ｃが設置されている。
なお、中間部梁８は、頂部梁７と桁方向の壁６の上端部との間に、その中間位置より上方に位置するように配されているため、下部屋根パネル９ｂは上部屋根パネル９ａよりも大きく形成されている。
【００３３】
妻方向の壁２ａ、２ｂは、外壁２ａと内壁２ｂとに分かれており、それぞれ２階を構成する部分は、図３（ｂ）、図３（ｃ）に示すように、略三角形状に形成されており、それぞれ開口部を備える中央部壁パネル３ａ、３ｂと、この中央部壁パネル３ａ、３ｂの両側部に連結されるとともに、桁方向の壁６に連結される側部壁パネル４ａ、４ｂと、中央部壁パネル３ａ、３ｂの上端部に設置される頂部壁パネル５ａ、５ｂと、によって構成されている。
【００３４】
このうち、外壁となる妻方向の壁２ａ、２ｂａの頂部に設置される頂部壁パネル５ａは、図３（ａ）に示すように、略三角形状であり、この頂部壁パネル５ａの頂部５ａ１および隅部５ａ２には、予め、略台形状の梁受合板５ａ３、５ａ４がボルト等によって固定されている。略三角形状の頂部壁パネルの頂部５ａ１に配される、略台形状の梁受合板５ａ３は、上底部が上方に向くように、隅部５ａ２に配される梁受合板５ａ４は、下底部が頂部５ａ１から隅部５ａ２へと形成される斜辺に平行となるように配されている。なお、内壁となる妻方向の壁２ａ、２ｂの頂部に設置される頂部壁パネル５ｂは、斜辺に段差部５ｂ７が形成されている他は、外壁となる妻方向の壁２ａ、２ｂａの頂部に設置される頂部壁パネル５ａと同一である。そして、図３（ｂ）、図３（ｃ）に示す頂部壁パネル５ａ、５ｂの頂部５ａ１、５ｂ１どうしおよび隅部５ａ２、５ｂ２どうしを繋ぐようにして、かつ、図示しない梁受金物を介して梁受合板５ａ３、５ｂ３、５ａ４、５ｂ４に支持されるようにして、Ｈ型鋼である頂部梁７および中間部梁８が設けられる。
さらに、頂部壁パネル５ａ、５ｂの隅部下端部の角部５ａ５、５ｂ５は略直角に形成されている。
【００３５】
また、それぞれ、中央部壁パネル３ａ、３ｂの両側部に連結される側部壁パネル４ａ、４ｂは、屋根を支持する斜辺を備えるとともに、桁方向の壁６に当接するようにして形成されている。なお、側部壁パネル４ａ、４ｂは、立設させた場合に中央部壁パネル３ａ、３ｂとの当接部において、頂部壁パネル５ａ、５ｂの隅部下端部に形成された角部５ａ５、５ｂ５に係合する角部受５ａ６、５ｂ６が形成されるように、中央部壁パネル３ａ、３ｂの高さよりも所定寸法大きくなるように形成されている。
【００３６】
上部屋根パネル９ａは、図８等に示すように、芯材９ａ１の片面に合板９ａ２が設けられて形成されており、棟を形成するように互いに対抗して設置されている。上部屋根パネル９ａの、棟部側の互いに対抗する芯材９ａ間には、外部へ通じる所定の隙間、すなわち排気孔が形成されており、これにより、屋根裏の空間の上部からは外部へ向かって通気が確保されている。なお、芯材９ａ間の隙間の上部には、雨水等を防止するカバーが設けられていることは勿論である。
【００３７】
下部屋根パネル９ｂは、図４（ａ）〜図４（ｄ）等に示すように、芯材９ｂ１の両面に合板９ｂ２が設けられて形成されており、中間部梁８と桁方向の壁６の上端部との比較的大きなスパンに設置可能となるように、所定の剛性を備えている。
【００３８】
下部屋根パネル９ｂの内部にはロックウール９ｂ３が予め工場等で充填されている。このロックウール９ｂ３によって、屋根裏の空間には断熱効果が生じ、快適な利用が可能となっている。なお、このロックウール９ｂ３は、現場で設ける必要がないため、コストが低減されるとともに施工上安全となる。
【００３９】
下部屋根パネル９ｂには、この下部屋根パネル９ｂの搬送時や施工時に用いられる、ストッパ９ｂ４、高さ補正部材９ｂ５、落下防止材９ｂ６等が設けられている。
【００４０】
下部屋根パネル９ｂには、図８、図９等にも示すように、その設置された状態で、桁方向の壁６側に形成されて外気ａを取り入れる外気取入口９ｂ７と、この外気取入口９ｂ７から取り入れられた外気ａを長手方向に沿って通過させる通気層９ｂ８と、頂部梁７側に形成されて通気層９ｂ８を通過した外気ａを頂部梁７側へ通気させる通気孔９ｂ９とを備えている。ところで、下部屋根パネル９ｂの内部には、予めロックウール９ｂ３が設けられているため、このロックウール９ｂ３による断熱効果で下部屋根パネル９ｂに熱がこもると、下部屋根パネル９ｂの内部側には結露が発生しやすくなってしまう。しかし、下部屋根パネル９ｂの外気取入口９ｂ７からは外気ａが取り入れられ、この外気取入口９ｂ７から取り入れられた外気ａは、通気層９ｂ８を通過して通気孔９ｂ９から頂部梁７側へ通気する。さらに、下部屋根パネル９ｂの通気孔９ｂ９から頂部梁７側へ通気した外気ａは、屋根の棟部に形成された排気孔９ａ３から外部に排出される。これにより、下部屋根パネル９ｂには熱がこもらず、下部屋根パネル９ｂの内部側には結露が発生しないため、屋根裏の空間をさらに快適に利用することが可能となっている。なお、下部屋根パネル９ｂの上端部側の芯材９ｂ１には、上部屋根パネルの下端部側の芯材９ａ１を受けるための受材９ｂ１０が取り付けられている。この受材９ｂ１０によって、上部屋根パネル９ａは、下部屋根パネル９ｂの上端部の芯材９ｂ１に形成された通気孔９ｂ９を塞がない状態に設置されている。
【００４１】
以下、施工方法について説明する。２階建て住宅のうち、本発明に係る２階部分の住宅の構築について説明する。
【００４２】
先ず、図５に示すように、２階部分の妻方向の壁２ａ、２ｂである中央部壁パネル３ａ、３ｂおよび側部壁パネル４ａ、４ｂや、桁方向の壁６を建て込み、周知の方法で互いに連結しながら固定する。この際、中央部壁パネル３ａ、３ｂと側部壁パネル４ａ、４ｂとの当接部においては、側部壁パネル４ａ、４ｂの高さが中央部壁パネル３ａ、３ｂの高さよりも所定寸法大きくなるように形成されていることにより、頂部壁パネル５ａ、５ｂの隅部下端部に形成された角部５ａ５、５ｂ５に係合する角部受５ａ６、５ｂ６が形成される。
【００４３】
次に、図６（ａ）に示すように、頂部壁パネル５ａ、５ｂを、その隅部下端部に略直角に形成された角部５ａ５、５ｂ５が、中央部壁パネル３ａ、３ｂと側部壁パネル４ａ、４ｂとによって形成された角部受５ａ６、５ｂ６に係合するようにして設置する。その後、図６（ｂ）に示すように、ダイヤル下げ振り１０等を用いて中央部壁パネル３ａ、３ｂや側部壁パネル４ａ、４ｂの鉛直精度を確認し、パネルステー１１等によって仮保持させておく。
【００４４】
次に、図７に示すように、頂部壁パネル５ａ、５ｂの頂部５ａ１、５ｂ１どうしを繋ぐようにして、かつ、頂部梁受合板５ａ３、５ｂ３に、図示しない梁受金物を介して支持されるようにして、Ｈ型鋼である頂部梁７を設ける。同様に、頂部壁パネル５ａ、５ｂの隅部５ａ２、５ｂ２どうしを繋ぐようにして、かつ、中間部梁受合板５ａ４、５ｂ４に、図示しない梁受金物を介して支持されるようにしてＨ型鋼である中間部梁８を設ける。なお、梁受金物は、図示しないボルト等によって梁受合板５ａ３、５ｂ３、５ａ４、５ｂ４に固定されるととともに、Ｈ型鋼である中間部梁８や頂部梁８は、該梁受金物に図示しないボルト等によって固定される。
【００４５】
次に、図７〜図９に示すように、頂部梁７、中間部梁８、に支持されるようにして上部屋根パネル９ａを設置するとともに、中間部梁８、桁方向の壁６、に支持されるようにして、上部屋根パネル９ａよりも大きい下部屋根パネル９ｂを設置する。この際、図８に示すように、下部屋根パネル９ｂの下部に設けられているストッパ９ｂ４を、桁方向の壁６に当接させて下部屋根パネル９ｂの位置を確定させる。
【００４６】
次に、図１０に示すように、天井防湿シート１２を、下部屋根パネル９ｂの内側の中間部梁８近傍から内壁１３の内側まで延在するようにして、所定の重ね幅を設けながら釘等によって下部屋根パネル９ｂの芯材９ｂ１に固定して取り付ける。
この天井防湿シート１２の取り付け後、内壁１３の内側には石膏ボード１４を、中間部梁８の下方においては、天井下地胴縁１５の取付けを行う。天井下地胴縁１５からは、野縁を吊り下げて天井１６を形成し、この天井１６によって中間部梁８が隠れるようにする。
【００４７】
なお、本発明に係る住宅１のように、下部屋根パネル９ｂが、比較的急勾配に配される場合においては、図１０に示す調整部材１７が用いられる。この調整部材１７は、下部屋根パネル９ｂの軒先側に取り付けられる軒先部材１７ａと、軒天井１８の上面に設けられる野縁１８ａを支持する野縁受部材１７ｂと、軒先部材１７ａと野縁受部材１７ｂとを連結する連結部材１７ｃと、によって構成されている。この調整部材１７を、下部屋根パネル９ｂの軒先側に取り付けるとともに、調整部材１７に野縁１８ａを支持させて軒天井１８を形成する。
【００４８】
また、本発明に係る住宅１は、上部屋根パネル９ａにオプションでトップライト１９の取り付けを選択することができるようになっている。トップライト１９の取り付けを選択する場合には、図１１に示すように、トップライト１９を上部屋根パネル９ａに、予め工場等において取り付けておき、ダンボール２０等で養生を行いながら現場へ搬送して、上部屋根パネル９ａを取り付ければよい。
【００４９】
本実施の形態によれば、以下のような効果を得ることができる。
▲１▼頂部壁パネル５ａ、５ｂの頂部５ａ１、５ｂ１どうしを繋ぐようにして頂部梁７が設けられるとともに、この頂部梁７と妻方向の壁２ａ、２ｂに直交して屋根を支持する桁方向の壁６の上端部との間に、その中間位置より上方に位置するようにして中間部梁８が設けられる。そして、頂部梁７、中間部梁８、に支持されるようにして上部屋根パネル９ａが設置されるとともに、中間部梁８、前記桁方向の壁６、に支持されるようにして、上部屋根パネル９ａよりも大きい下部屋根パネル９ｂが設置される。
【００５０】
これにより、上部屋根パネル９ａおよび下部屋根パネル９ｂの下には、上部屋根パネル９ａや下部屋根パネル９ｂを支持するための壁等の存在しない広い空間が確保される。広い空間を確保する場合においても、中間部梁８によって屋根の水平剛性が確保されるため、構造的にも安定する。
また、中間部梁８は、頂部梁７と桁方向の壁６の上端部との間に、その中間位置より上方に位置するようにして設けられるため、例えば、図１０に示すように、中間部梁８を隠すために中間部梁８の下方に天井１６を形成しても、天井下の空間が広く確保される。
以上により、屋根裏に、広く快適な空間を、安全に確保することが可能となる。
【００５１】
▲２▼下部屋根パネル９ｂの内部には、予めロックウール９ｂ３が設けられる。ロックウール９ｂ３の断熱効果により、屋根裏の空間をより快適に利用することが可能である。この際、ロックウール９ｂ３を現場で設ける必要がないため、コストが低減されるとともに施工上安全となる。
【００５２】
▲３▼上部屋根パネル９ａには、予めトップライト１９が設けられる。これにより、十分な採光が確保され、屋根裏の空間をさらに快適に利用することが可能である。この際、トップライト１９を現場で設ける必要がないため、コストが低減されるとともに施工上安全となる。ところで、上部屋根パネル９ａは、下部屋根パネル９ｂに比して小さく形成されている。したがって、予めトップライト１９を設けた上部屋根パネル９ａを現場に搬送する場合や、この上部屋根パネル９ａを現場で施工する場合においても取り扱いが容易でさらに安全である。
【００５３】
▲４▼中間部梁８の下方側には天井１６が形成されるため、中間部梁８が天井１６によって隠れることとなり、屋根裏の空間をさらに快適に利用することが可能となる。
【００５４】
▲５▼下部屋根パネル９ｂの内側の中間部梁８近傍から内壁１３の内側まで延在するようにして、天井防湿シート１２が設けられるため、この天井防湿シート１２による防湿効果により、屋根裏の空間をさらに快適に利用することが可能となる。
【００５５】
▲６▼調整部材１７を下部屋根パネル９ｂの軒先側に取り付けるとともに、調整部材１７に野縁１８ａを支持させることで、軒天井１８が形成される。本発明による屋根の施工方法において、図１１に示すように、従来に比して下部屋根パネル９ｂが急勾配に配される場合においても、調整部材１７によって下部屋根パネル９ｂと軒天井１８とを容易に秀麗に納めることが可能である。
【００５６】
▲７▼下部屋根パネル９ｂの内部には、予めロックウール９ｂ３が設けられているため、このロックウール９ｂ３による断熱効果で下部屋根パネル９ｂに熱がこもると、下部屋根パネル９ｂの内部側には結露が発生しやすくなってしまう。しかし、下部屋根パネル９ｂの外気取入口９ｂ７からは外気ａが取り入れられ、この外気取入口９ｂ７から取り入れられた外気ａは、通気層９ｂ８を通過して通気孔９ｂ９から頂部梁７側へ通気する。さらに、下部屋根パネル９ｂの通気孔９ｂ９から頂部梁７側へ通気した外気ａは、屋根の棟部に形成された排気孔９ａ３から外部に排出される。これにより、下部屋根パネル９ｂには熱がこもらず、下部屋根パネル９ｂの内部側には結露が発生しないため、屋根裏の空間をさらに快適に利用することが可能である。
【００５７】
【発明の効果】
請求項１及び請求項７記載の発明によれば、前記頂部梁、前記中間部梁、に支持されるようにして上部屋根パネルが設置されるとともに、前記中間部梁、前記桁方向の壁、に支持されるようにして、前記上部屋根パネルよりも大きい下部屋根パネルが設置される。
これにより、前記上部屋根パネルおよび前記下部屋根パネルの下には、該上部屋根パネルや下部屋根パネルを支持するための壁等の存在しない広い空間が確保される。前記広い空間を確保する場合においても、前記中間部梁によって屋根の水平剛性が確保されるため、構造的にも安定する。
以上により、屋根裏に、広く快適な空間を、安全に確保することが可能となる。
【００５８】
請求項２及び請求項８記載の発明によれば、請求項１及び請求項７記載の発明と同様の効果が得られることは勿論のこと、前記断熱材の断熱効果により、屋根裏の空間をより快適に利用することが可能である。この際、断熱材を現場で設ける必要がないため、コストが低減されるとともに施工上安全となる。
【００５９】
請求項３記載の発明によれば、請求項１または２記載の発明と同様の効果が得られることは勿論のこと、前記上部屋根パネルには、予めトップライトが設けられるため、十分な採光が確保され、屋根裏の空間をさらに快適に利用することが可能である。この際、トップライトを現場で設ける必要がないため、コストが低減されるとともに施工上安全となる。
【００６０】
請求項４記載の発明によれば、請求項１〜３のいずれかに記載の発明と同様の効果が得られることは勿論のこと、前記中間部梁の下方側には天井が形成されるため、前記中間部梁が前記天井によって隠れることとなり、屋根裏の空間をさらに快適に利用することが可能となる。
【００６１】
請求項５記載の発明によれば、請求項４記載の発明と同様の効果が得られることは勿論のこと、前記下部屋根パネルの内側の前記中間部梁近傍から内壁の内側まで延在するようにして、天井防湿シートが設けられるため、この天井防湿シートによる防湿効果により、屋根裏の空間をさらに快適に利用することが可能となる。
【００６２】
請求項６記載の発明によれば、請求項１〜５のいずれかに記載の発明と同様の効果が得られることは勿論のこと、前記調整部材を前記下部屋根パネルの軒先側に取り付けるとともに、該調整部材に野縁を支持させることで、軒天井が形成される。本発明による屋根の施工方法において、従来に比して前記下部屋根パネルが急勾配に配される場合においても、前記調整部材によって下部屋根パネルと前記軒天井とを容易に秀麗に納めることが可能である。
【００６３】
請求項９記載の発明によれば、請求項８記載の発明と同様の効果が得られることは勿論のこと、前記下部屋根パネルの外気取入口からは外気が取り入れられ、この外気取入口から取り入れられた外気は、前記通気層を通過して前記通気孔から前記頂部梁側へ通気する。これにより、下部屋根パネルには断熱材が設けられていても熱がこもらず、下部屋根パネルの内部側には結露が発生しないため、屋根裏の空間をさらに快適に利用することが可能である。
【００６４】
請求項１０記載の発明によれば、請求項９記載の発明と同様の効果が得られることは勿論のこと、前記下部屋根パネルの外気取入口から取り入れられた外気は、前記排気孔から確実に外部に排出されるため、下部屋根パネルを含む通気経路が確実に確保される。したがって、屋根裏の空間をさらに快適に利用することが可能である。
【図面の簡単な説明】
【図１】本発明に係る住宅を示す斜視図である。
【図２】本発明に係る住宅の一施工工程を示す斜視図である。
【図３】（ａ）は本発明に係る頂部壁パネルを示す斜視図であり、（ｂ）は頂部壁パネルが妻方向の外壁の頂部設置された状態を示す正面図であり、（ｃ）は頂部壁パネルが妻方向の内壁の頂部に設置された状態を示す正面図である。
【図４】本発明に係る下部屋根パネルの、（ａ）は全体を示す斜視図、（ｂ）は長辺方向の断面図、（ｃ）は上端部を示す斜視図、（ｄ）は短辺方向の断面図である。
【図５】本発明に係る住宅の一施工工程を示す斜視図である。
【図６】（ａ）、（ｂ）ともに、本発明に係る住宅の一施工工程を示す斜視図である。
【図７】本発明に係る住宅の一施工工程を示す斜視図である。
【図８】本発明に係る住宅に設置された状態の、上部屋根パネルおよび下部屋根パネルを示す断面図である。
【図９】（ａ）は、本発明に係る住宅の一施工工程を示す斜視図であり、（ｂ）は、本発明に係る住宅に設置された状態の下部屋根パネルの通気構造を示す断面図である。
【図１０】本発明に係る住宅の、天井防湿シートおよび天井を示す断面図である。
【図１１】本発明に係る住宅の、調整部材を用いて施工される軒先部を示す断面図である。
【図１２】本発明に係る住宅に用いられるトップライトを示す斜視図である。
【図１３】従来の屋根の支持構造を示す斜視図である。
【符号の説明】
２                妻方向の壁
２ａ、２ｂ        妻方向の壁
３ａ、３ｂ        中央部壁パネル（妻方向の壁）
４ａ、４ｂ        側部壁パネル（妻方向の壁）
５ａ、５ｂ        頂部壁パネル（妻方向の壁）
５ａ１、５ｂ１    頂部
６                桁方向の壁
７                頂部梁
８                中間部梁
９ａ              上部屋根パネル
９ａ３            排気孔
９ｂ              下部屋根パネル
９ｂ３            ロックウール（断熱材）
９ｂ７            外気取入口
９ｂ８            通気層
９ｂ９            通気孔
１２              天井防湿シート
１３              内壁
１６              天井
１７              調整部材
１７ａ            軒先部材
１７ｂ            野縁受部材
１７ｃ            連結部材
１８              軒天井
１９              トップライト
ａ                外気
【図１】
0003863089.tif 000002
【図２】
0003863089.tif 000003
【図３】
0003863089.tif 000004
【図４】
0003863089.tif 000005
【図５】
0003863089.tif 000006
【図６】
0003863089.tif 000007
【図７】
0003863089.tif 000008
【図８】
0003863089.tif 000009
【図９】
0003863089.tif 000010
【図１０】
0003863089.tif 000011
【図１１】
0003863089.tif 000012
【図１２】
0003863089.tif 000013
【図１３】
0003863089.tif 000014